(57)【特許請求の範囲】
【請求項１】
プリント基板と、
前記プリント基板に実装される電子部品と、
前記電子部品の表面を覆う電子部品カバーと、
前記電子部品カバーと前記プリント基板とを挟み込むことで、前記電子部品カバーを前記プリント基板に固定するクリップバネとを有し、
前記クリップバネは導電性を有する材料で形成され、前記クリップバネには、曲げ部が形成され、
前記クリップバネを前記プリント基板に取り付ける際に、前記プリント基板の前記クリップバネの前記曲げ部が擦る領域にグランドパターンが形成され、
前記プリント基板の表面には、レジストが塗布されるとともに、前記レジストを部分的に塗布しないことで前記グランドパターンが露出する凹部が形成され、
前記クリップバネの前記プリント基板への取り付けが完了した状態にて、前記クリップバネの前記曲げ部が前記凹部に係合し、前記クリップバネの前記曲げ部が前記凹部から露出している前記グランドパターンに接触することを特徴とする電子機器。
【請求項２】
前記電子部品は光センサであって、前記電子部品カバーは遮光性を有することを特徴とする請求項１に記載の電子機器。
【請求項３】
前記電子部品カバーは導光部材を保持することを特徴とする請求項２に記載の電子機器。
【発明の詳細な説明】
【技術分野】
【０００１】
本発明は、回路部品が実装された基板の実装面に、電子部品を保持する電子部品カバーを固定するようにした基板モジュールを備えた電子機器に関するものである。
【背景技術】
【０００２】
従来より、ストロボ発光部の光を導光装置により発光量制御手段に導き、発光量を制御するようにしたストロボ発光装置を備えたカメラが知られている。
また、ストロボ未使用時にはカメラ内にストロボ発光部が内蔵され、ストロボ使用時には上記ストロボ発光部がポップアップするカメラにおいて、本出願人からつぎのようなストロボ発光装置が提案されている（特許文献１参照）。
ストロボ発光部と、装置本体内にある発光量制御手段である調光センサーの間に可撓性のあるファイバーと、光路変更手段と、前記ファイバー射出部からの光を集光し調光センサーに対して前記光を拡散射出するためのレンズ手段と、を備えた導光装置を設ける。
これにより、ストロボ発光部と調光センサ間の位置関係が変化しても、ストロボ発光部の光を調光センサーに導き、常に適正なストロボ発光を確保しつつ組付け作業性を安易にすることが可能とされる。
【０００３】
一方、前記ストロボ発光装置からレンズ手段を廃止すると共に、該ストロボ発光装置を基板モジュール化することで、更なるコストダウンを図ったカメラが知られている。
以下に、このような基板モジュール化を図った構成について、簡単に説明する。図６を用いて、従来例におけるセンサーカバーの基板への固定を接着剤で行なっている基板モジュールの構成を説明する。
図６（ａ）は前記基板モジュールの正面図、図６（ｂ）は該正面図のａ−ａ断面図である。
図６において、１００はカメラを制御するための各回路パターン形成及び回路部品が実装されたプリント配線板（以下基板と記す）、１０１は予め設定された光量でストロボの発光停止信号を出力するようストロボ発光制御を行なうための調光センサーである。この調光センサー１０１は基板１００に実装されている。
１０２は不図示のストロボ発光部からの光を調光センサー１０１へ導くための導光装置である光ファイバー１０３を備えたセンサーカバーである。
このセンサーカバー１０２は、光ファイバー１０３及びストロボ光の中の赤外成分を取り除き、撮影に使用される可視光線のみ調光センサー１０１へ入光させるための赤外カットフィルター１０４が取り付けられている。
ストロボ発光部からの光は、光ファイバー１０３を通してセンサーカバー１０２に形成されている反射面１０２ａに反射し、調光センサー１０１のセンサーチップ１０１ａに導かれ、ストロボ発光光量が適正光量となるよう制御される。
センサーカバー１０２の取り付け基準は、調光センサー１０１の表面及び外形側面２辺への突き当てによるものとされており、これによりストロボ発光部からの光とセンサーチップ１０１ａの相対位置を保証している。
そのため、センサーカバー１０２は調光センサー１０１に強固に保持する必要があり、センサーカバー１０２を基板１００に対し接着剤１０５により固定されている。
【先行技術文献】
【特許文献】
【０００４】
【特許文献１】特開２００６−３０８１号公報
【発明の概要】
【発明が解決しようとする課題】
【０００５】
上記したストロボ発光装置を基板モジュール化した従来例のものにおいては、簡単な構成でストロボ閃光装置の発光部から調光センサーに導くとともに、組立て作業性の簡略化が図られている。
しかしながら、上記従来技術では、基板モジュール化するに際して、センサーカバー等の電子部品カバーの基板への固定を接着剤で行なっているため、つぎのような課題を有している。
すなわち、接着剤が乾燥するまで次工程へ進めないために組立作業工数がかかり、また、例えば調光センサーの不具合により調光センサーの交換等の手直しの際には、接着剤を取り除かなければならない等の手間が必要となる。
【０００６】
本発明は、上記課題に鑑み、電子部品カバーの基板への固定に接着剤を必要とせず、組立作業性の効率化を図ることが可能となる基板モジュールを備えた電子機器を提供することを目的とする。
【課題を解決するための手段】
【０００７】
本発明の電子機器は、プリント基板と、前記プリント基板に実装される電子部品と、前記電子部品の表面を覆う電子部品カバーと、前記電子部品カバーと前記プリント基板とを挟み込むことで、前記電子部品カバーを前記プリント基板に固定するクリップバネとを有し、
前記クリップバネは導電性を有する材料で形成され、前記クリップバネには、曲げ部が形成され、
前記クリップバネを前記プリント基板に取り付ける際に、前記プリント基板の前記クリップバネの前記曲げ部が擦る領域にグランドパターンが形成され、
前記プリント基板の表面には、レジストが塗布されるとともに、前記レジストを部分的に塗布しないことで前記グランドパターンが露出する凹部が形成され、
前記クリップバネの前記プリント基板への取り付けが完了した状態にて、前記クリップバネの前記曲げ部が前記凹部に係合し、前記クリップバネの前記曲げ部が前記凹部から露出している前記グランドパターンに接触することを特徴とする。
【発明の効果】
【０００８】
本発明によれば、電子部品カバーの基板への固定に接着剤を必要とせず、組立作業性の効率化を図ることが可能となる基板モジュールを実現することができる。
【図面の簡単な説明】
【０００９】
【図１】本発明の実施形態におけるデジタルカメラの要部構成を説明するブロック図。
【図２】本発明の実施形態におけるデジタルカメラの要部構成を説明する断面図。
【図３】本発明の実施形態におけるストロボ発光部の構成を説明する組立図。
【図４】本発明の実施形態における調光センサーユニットの構成を説明する図。
【図５】本発明の実施形態におけるプリント配線板に形成された凹凸部の構成を説明する図。
【図６】従来例におけるセンサーカバーの基板への固定を接着剤で行なっている基板モジュールの構成を説明する図。
【発明を実施するための形態】
【００１０】
以下、図を用いて、本発明の回路部品が実装された基板の実装面に、電子部品を保持する電子部品カバーを固定するようにした基板モジュールを備えた電子機器の構成を、デジタルカメラに適用した実施形態の構成例について説明する。
図１は、本実施形態のデジタルカメラの要部構成を説明するブロック図である。図１において、１は電子カメラ全体を制御するＣＰＵ、２は撮影レンズ、３はレンズ駆動装置であり、１８は周知の位相差方式の焦点検出装置で、該装置の出力結果に基づき撮影レンズ２を動かし焦点調節を行う。
４はシャッタ、５はシャッタチャージ及びミラー駆動機構であり、シャッタ４をチャージするとともにミラー６を待避位置と観察位置の間でアップダウンさせる。
７はＣＣＤ等からなる光電変換素子であり、撮影レンズ２で結像された被写体像を画像信号に変換する。
８は画像処理手段であり、光電変換素子７の画像信号に様々な処理を行い画像データに変換する。
９は記録手段であり、画像データをカメラ内蔵あるいは脱着可能な磁気記録装置や半導体メモリ等からなる記録媒体１０に記録する。
１１は電源、１２は撮影準備動作を開始するＳＷ１及び撮影動作を開始するＳＷ２機能を有するレリーズスイッチ、１３は液晶ディスプレイ等からなる表示手段であり、撮影画像およびカメラの様々な情報を表示する。
１４はストロボ閃光装置であるストロボ発光部で、１５はストロボ発光部１４からの発光量を検出し適正光量制御を行なうための光センサーである調光センサー、１６はこれらストロボ発光制御を行なうためのストロボ回路である。１７は被写体の輝度を測定する測光センサである。
【００１１】
図２は、本発明のデジタルカメラの要部構成の断面図であり、ストロボ発光部１４が発光位置にある状態を示している。
尚、図２には図１に示した構成と同様の構成には同一の符号が付されており、重複する箇所についての説明は割愛する。
図２において、３０は上カバーであり、ストロボ発光ユニット１４を保持する。ストロボ発光ユニット１４は、ストロボケース３１、ストロボカバー３２、キセノン管３３、キセノン管３３のストロボ光を効率よく被写体側へ照射するための反射笠３４を備える。
また、更にストロボ光を均一にムラ無く被写体に照明するためのストロボパネル３５、キセノン管３３の放電を開始させるための不示図のトリガコイル、調光センサー１５へストロボ光を導くための可撓性を有する光ファイバー３６（導光部材）を備える。
光ファイバー３６は、一端はストロボパネル３５に固着され、他端は後述説明する調光センサーユニット５１に取り付けられている。
５０はカメラを制御するための各回路パターンが形成され、回路部品が実装されたプリント配線基板（プリント基板）で、電子部品としての調光センサーユニット５１が取り付けられている。
４０はファインダスクリーン、４１はペンタプリズム、４２は接眼レンズである。
【００１２】
図３は、カメラ上部から見た時の前記ストロボ発光ユニット１４のキセノン管３３、ストロボパネル３５、反射笠３４、光ファイバー３６の関係を示した組立図である。
図３において、ストロボパネル３５はキセノン管３３から発せられたストロボ光を均一に照射するためのフレネルレンズ３５ａが形成されている。
フレネルレンズ３５ａの側面にはファイバー挿入穴３５ｂが設けられている。
ファイバー挿入穴３５ｂに光ファイバー３６が挿入され、フレネルレンズ３５ａに入射したストロボ光の一部が、ストロボパネル３５に形成された反射面３５ｃで反射してファイバー挿入穴３５ｂに挿入されている光ファイバー３６へと導かれる。
【００１３】
つぎに、図４を用いて、上記した調光センサーユニット５１の詳細について説明する。
図４（ａ）はプリント配線基板５０に調光センサー５１が取り付けられた状態を示す正面図、（ｂ）は調光センサーユニット５１の詳細正面図、（ｃ）は背面図、（ｄ）は断面図を示す。
図４に示されるように、回路部品が実装されたプリント配線基板５０の実装面には、前述の調光センサー（電子部品）１５が実装されるように構成されている。５２はキセノン管３３からの光を調光センサー１５へ導くための導光部材である光ファイバー３６を備えたセンサーカバー（電子部品カバー）である。センサーカバー５２は遮光性を有し、光ファイバー３６から導かれる光以外の光が調光センサー１５に入らない。
センサーカバー５２はＺ方向は調光センサー表面突き当て、Ｘ及びＹ方向はセンサーカバー５２に形成されたバネ部５２ａ及び５２ｂにより調光センサー１５の各側面をそれぞれ付勢することにより調光センサー１５に対し位置決めされている。
５３はストロボ光の中の赤外成分を取り除き、撮影に使用される可視光線のみ調光センサー１５へ入光させるための赤外カットフィルタである。赤外カットフィルタ５３はセンサーカバー５２によって、調光センサー１５の表面に固定されている。
センサーカバー５２には光ファイバー３６を挿入するためのガイド部５２ｃ及びファイバー挿入穴５２ｄ及び光路変更のための反射面５２ｅが形成されている。キセノン管３３からの光は光ファイバー３６を通して反射面５２ｅに反射し調光センサーのセンサーチップ１５ａに導かれ、ストロボ発光光量が適正光量となるよう制御される。
【００１４】
尚、センサーカバー５２が調光センサー１５に対し浮いてしまったり外れてしまったりすると、キセノン管３３からの光が正しくセンサーチップ１５ａに入射されなくなり、適正光量でのストロボ発光制御が出来なくなってしまう。
そこで、センサーカバー５２の固定は、クリップバネを構成する略コの字形状を有するセンサーカバースプリング５４によって、センサーカバー５２とプリント配線基板５０とを挟み込むことで固定している。センサーカバースプリング５４は導電性を有する材料で形成されている。
センサーカバースプリング５４は、調光センサー１５にセンサーカバー５２が取り付けられた状態で図上部から矢印方向へスライドさせて取り付けられる。
取り付けの際には引っ掛りなくスムーズに取り付けられるように５４ａ及び５４ｂの曲げ部が形成されており、また取り付け完後の外れ防止として曲げ部５４ａはセンサーカバーに形成された段部５２ｆに落ち込む形状となっている。
更に、上記した基板の調光センサー１５が実装される面の裏面に凹凸部が形成され、この凹凸部にセンサーカバースプリング５４の曲げ部５４ｂを係合させ抜け止めを図るように構成されている。したがって、センサーカバースプリング５４の曲げ部５４ｂがセンサーカバースプリング５４の凹凸部に当接する部分となる。
具体的には、プリント配線基板５０に対する曲げ部５４ｂとの当接部近傍のセンサーカバースプリング当接部領域５０ａには、後述説明する凹凸部５０ｃが形成されており、曲げ部５４ｂに凹凸部５０ｃが引っ掛り、係合することで抜け止めを図るようにする。
尚、センサーカバースプリング５４は曲げ部５４ｂによってプリント配線基板５０の表面を擦りながら取り付けられる。
そのため、プリント配線基板５０の表面が削れてパターンが露出したりまたはパターンを切断してしまう可能性がある。
そのため、プリント配線基板５０の曲げ部５４ｂのセンサーカバースプリングの可動領域（クリップバネ可動領域）５０ｂはグランドパターンとすることが望ましい。こうすることで、パターンが露出したりまたはパターンを切断したとしても、回路になんら影響を与えない。
【００１５】
つぎに、図５を用いて、プリント配線基板５０に形成された凹凸部の構成について更に説明する。
図５（ａ）はセンサーカバースプリング当接部領域５０ａにレジストパターンによる凹凸部５０ｃを形成した図、図５（ｂ）は同図断面図である。
プリント配線基板５０の表面にはパターン絶縁のためにレジスト５０ｄが塗布されている。
曲げ部５４ｂとの当接部近傍はレジストを抜くことにより凹部５０ｅが形成されており、これによりプリント配線板表面にレジストパターンによる凹凸部５０ｃが形成される。
また、前記センサーカバースプリングの可動領域５０ｂにはグランドパターン５０ｆが形成されており、凹部５０ｅに該パターンが露出している。
センサーカバースプリング５４が取り付けられるとこの露出しているグランドパターン５０ｆに曲げ部５４ｂの稜線が当接し、電気的に接続することが可能に構成されている。
これにより、センサースプリング５４が浮遊金属でなくなるのでノイズ・静電気の観点からも好ましくなる。
また、凹凸部５０ｃはシルク印刷によって形成しても良い。
【００１６】
図５（ｃ）はセンサーカバースプリング当接部領域５０ａにシルク印刷で凹凸部５０ｃを形成した図であり、図５（ｄ）は同図断面図である。
プリント配線基板５０の表面には同基板に実装された回路素子の１ピンマークや名称表示等のためにシルク印刷５０ｇが施されている。
曲げ部５４ｂとの当接部近傍にシルク印刷５０ｇを施すことにより凸部が形成され、曲げ部５４ｂが引っ掛り、係合することで抜け止め効果が得られる。
また、凹凸部５０ｃはプリント配線板の銅箔パターンによって形成しても良い。また、図５（ｅ）はセンサーカバースプリング当接部領域５０ａに銅箔パターンで凹凸部５０ｃを形成した図であり、図５（ｆ）は同図断面図である。
プリント配線基板５０のグランドパターン５０ｆの曲げ部５４ｂとの当接部近傍の一部をパターンカットすることにより凹部５０ｈが形成され、曲げ部５４ｂが引っ掛り、係合することで抜け止め効果が得られる。
また、凹凸部５０ｃはスルーホールによって形成しても良い。
また、図５（ｇ）はセンサーカバースプリング当接部領域５０ａにスルーホールで凹凸部５０ｃを形成した図であり、図５（ｈ）は同図断面図である。
プリント配線基板５０のグランドパターン５０ｆの曲げ部５４ｂとの当接部近傍にはスルーホール５０ｉが設けられている。
スルーホールを形成する場合にはスルーホール径と同等以上のレジスト開口が基板製造上必要となるため、これによって出来たレジスト開口端面５０ｊにより曲げ部５４ｂが引っ掛り、係合することで抜け止め効果が得られる。
尚、スルーホール５０ｉの配列は図（ｇ）のように整列配置に限定するものではなく、ランダムに配置しても良い。
【００１７】
以上、本発明の実施形態の構成について説明したが、本発明はこれらの構成に限られるものではなく、例えば、実施形態の構成の一部を適宜組み合わせてもよい。
このような本実施形態の構成によれば、センサーカバーの固定をクリップ形状を有するカバースプリングにて基板と挟み込むことにより、組立作業工数の削減及び手直し時の作業性を容易にすることができる。
また、カバースプリングとの当接部近傍の基板表面に凹凸を付けることにより、振動、落下時のカバースプリングのズレや脱落を防止することができる。
これらにより、優れた導光性能を確保し、常に適正なストロボ発光を保証しつつ、組立作業性の効率化を図ることが可能となる基板モジュールを提供することができる。
【符号の説明】
【００１８】
３６：ファイバー
５０：プリント配線基板
５０ａ：センサーカバースプリング当接部領域
５０ｂ：センサーカバースプリングの可動領域（クリップバネ可動領域）
５０ｃ：凹凸部
５２：センサーカバー
５４：センサーカバースプリング（クリップバネ）
５４ｂ：曲げ部
【図１】
0005489605.tif 000002
【図２】
0005489605.tif 000003
【図３】
0005489605.tif 000004
【図４】
0005489605.tif 000005
【図５】
0005489605.tif 000006
【図６】
0005489605.tif 000007